(57)【要約】【課題】      水圧や押し過ぎによって排水口に吸い付いて抜けにくい排水口栓を、簡単に抜け易くすることを目的とし、取扱いが簡便で、使用方法が容易な具を提供する。【解決手段】  水圧や押し過ぎにより抜けにくくなっている排水口栓を抜け易くするために、栓本体内の移動空間部に配置された表面にネジを有する回転ネジ部材と、回転ネジ部材のネジと螺合する内ネジを有して移動空間部内を上下動する可動体と、可動体から下連結部を介しての押し上げ板を設け、また上下動する可動体の回転を抑止するための回転抑止手段を具備することにより本体を形成する。その使用に際しては、回転ネジ部材に上連結部を介してのハンドル操作をすることにより、可動体が移動空間部を回転抑止手段により下動し、可動体と下連結部を介しての押し上げ板が排水口内枠を押圧することで、栓接地固定状態から持ち上げる反作用が働き、栓本体の浮上を図ることで排水口栓が簡単に抜け易くする解決手段とした。【選択図】    図  ３
2006226092.tif 000002
【特許請求の範囲】
【請求項１】
任意の排水口に挿入可能な栓本体（１）と、栓本体内部に設けられた移動空間部（２）と、移動空間部（２）からつながり下面に設けられた下開口部（７）と、移動空間部（２）からつながり上面に設けられた上開口部（４）と、栓本体上部に配置されたハンドル（５）と、ハンドル（５）から上連結部（３）を介して前記移動空間部に配置された表面にネジを有する回転ネジ部材（９）と、前記回転ネジ部材のネジに螺合する内ネジ（１２）を有し移動空間部内を上下動する可動体（１０）と、可動体（１０）から下連結部（６）を介して設けられた押し上げ板（８）とより構成され、前記可動体はハンドル操作により移動空間部内を上下動するものであり、前記押し上げ板は排水口（１６）に取り付けてある内枠（１７）に接触し、栓接地状態から取り外し状態に押し上げるように作動するものであることを特徴とする、手動持ち上げ装置付弾性体ゴム排水口栓。
【請求項２】
上下動する際に可動体（１０）の回転を抑止する回転抑止手段を具備したことを特徴とする、請求項１記載の手動持ち上げ装置付弾性体ゴム排水口栓。
【請求項３】
任意の排水口に挿入可能な栓本体（１）と、栓本体内部に設けられた移動空間部（２）と、移動空間部（２）からつながり上面に設けられた上開口部（４）と、栓本体上部に配置された鎹状ハンドル（１３）と、鎹状ハンドル（１３）から上連結部（３）を介して前記移動空間部に配置された表面にネジを有する回転ネジ部材（９）と、前記回転ネジ部材のネジに螺合し移動空間部内を上下動する内ネジ（１２）と、前記内ネジと一体構造の栓本体（１）とより構成され、前記内ネジと一体構造の栓本体（１）は、鎹状ハンドル操作により上下動するものであり、前記回転ネジ部材と内ネジ（１２）の螺合により、内ネジ（１２）と一体構造の栓本体（１）の、排水口（１６）の内周縁部（１８）の栓接地状態から取り外し状態に引き上げるように作動するものであることを特徴とする、手動持ち上げ装置付弾性体ゴム排水口栓。
【発明の詳細な説明】
【技術分野】
【０００１】  本発明は、水圧や押し過ぎによる貯水水槽の排水口に吸い付いて抜けにくくなった排水口栓を、本発明によって簡単に抜け易くすることを目的とする手動持ち上げ装置付弾性体ゴム排水口栓に関するものである。
【背景技術】
【０００２】  従来より、貯水水槽用に一体構造となった合成ゴム製の水止め栓がある。
【発明の開示】
【発明が解決しようとする課題】
【０００３】  これらには、次のような問題点があった。
（イ）  排水口に強く押し過ぎたために圧縮されたゴムが吸い付いて外れない。
（ロ）  水圧によって排水口に強く押され抜けにくい。
本発明は、これらの問題点を解決するためになされたものである。
【課題を解決するための手段】
【０００４】（イ）  任意の排水口に挿入可能な栓本体（１）を設け、栓本体内部に移動空間部（２）を設け、移動空間部（２）からつながる上面に上開口部（４）を、下面に下開口部（７）を設け、栓本体上部に配置されたハンドル（５）を設け、ハンドル（５）から上連結部（３）を介して移動空間部（２）に配置された表面にネジを有する回転ネジ部材（９）を設け、回転ネジ部材（９）のネジに螺合し、移動空間部（２）内を上下動する内ネジ（１２）を有する可動体（１０）を設け、可動体（１０）から下連結部（６）を介した押し上げ板（８）を設け、ハンドル（５）、回転ネジ部材（９）、可動体（１０）、及び押し上げ板（８）によって形成される本発明の作動手段を、任意の排水口（１６）に栓接地固定状態の栓本体（１）の取り外し手段として構成する。また可動体（１０）が上下動する際に生ずる回転を抑止する手段として、回転抑止手段のガイド溝（１１）、及びガイド突起（１４）を具備する。
（ロ）  任意の排水口に挿入可能な栓本体（１）を設け、栓本体内部に移動空間部（２）を設け、移動空間部（２）からつながる上面に上開口部（４）を設け、栓本体上部に配置された鎹状ハンドル（１３）を設け、鎹状ハンドル（１３）から上連結部（３）を介して移動空間部（２）に配置された表面にネジを有する回転ネジ部材（９）を設け、回転ネジ部材（９）のネジに螺合する、栓本体（１）と一体構造の内ネジ（１２）を設け、前記栓本体は、回転ネジ部材（９）の作動が、栓本体（１）と一体構造の内ネジ（１２）に伝達し、内ネジ（１２）と一体構造の栓本体（１）と共に移動空間部（２）を上下動するものであり、鎹状ハンドル（１３）、回転ネジ部材（９）、及び内ネジ（１２）と一体構造の栓本体（１）によって形成される本発明の作動手段を、任意の排水口（１６）に栓接地固定状態の栓本体（１）の取り外し手段として構成する。
本発明は、以上の構成よりなる手動持ち上げ装置付弾性体ゴム排水口栓である。
【発明の効果】
【０００５】  本発明の効果は、
（イ）  回転ネジ部材に連結するハンドル操作により、回転ネジ部材に螺合し内ネジを有して回転抑止手段により上下動する可動体を稼動させ、それに連結する押し上げ板を上下動させることにより、栓本体が栓接地固定状態から押し上げられるように外れる。
（ロ）  回転ネジ部材による可動体の同回転を抑止し上下動に変換するための回転抑止手段を具備したことにより、可動体と直結する押し上げ板が円滑に上下動し、栓本体が栓接地固定状態から押し上げられるように外れる。
（ハ）  回転ネジ部材に連結する鎹状ハンドルを支点としてのハンドル操作により回転ネジ部材に螺合する、内ネジと一体構造の栓本体を上下動させることにより、栓本体が栓接地固定状態から引き上げられるように外れる。
以上のように、排水口に吸い付いて抜けにくい排水口栓を簡単に外れるようにする成型物を提供すべく発明されたものである。
【発明を実施するための最良の形態】
【０００６】  本発明の実施に当たって各々の構造を詳しく説明する。
【発明を実施するための最良の形態】
【実施例１】        図  １において本発明の構成を説明すれば、本発明は栓本体、操作体、作用体の三要素から構成されている。
栓本体（１）は、任意の排水口（１６）の口形状に合わせ塞ぐ外形構造となったものである。栓本体内部に円筒状の移動空間部（２）が設けられており、円筒状の内壁に上下方向に一対又は複数対、又は複数個のガイド溝（１１）、又はガイド突起（１４）が対抗して設けられている。栓本体（１）の上面には、移動空間部（２）につながる上開口部（４）が設けられ、栓本体（１）の下面には、移動空間部（２）につながる下開口部（７）が設けられている。
操作体は、栓本体上部に配置されたハンドル（５）と、ハンドル（５）から上連結部（３）を介して前記移動空間部（２）に配置された表面にネジを有する回転ネジ部材（９）とより構成されたものである。ハンドル（５）は、上連結部（３）を介して回転ネジ部材（９）を操作するものであり、上連結部（３）は、回転ネジ部材（９）と連結して栓本体（１）の上部に位置し、ハンドル（５）の操作を円滑に回転ネジ部材（９）に伝達するものであり、回転ネジ部材（９）は、ハンドル操作により上連結部（３）を介して伝達された回転をなすものである。
作用体は、前記回転ネジ部材（９）のネジに螺合する内ネジ（１２）を有し移動空間部（２）内を上下動する可動体（１０）と、可動体（１０）から下連結部（６）を介して設けられた押し上げ板（８）とより構成されたものである。可動体（１０）は、回転ネジ部材（９）の回転により作動するものであり、可動体（１０）の外壁に上下方向に一対又は複数対、又は複数個のガイド溝（１１）、又はガイド突起（１４）が対抗して設けられている。下連結部（６）は、可動体（１０）の下部に位置し押し上げ板（８）と連結するものであり、押し上げ板（８）は、下連結部（６）を介して可動体（１０）と連結し上下動をなすものである。
本発明は以上のような構造で、これを使用するときは、例えば図  ３において、任意の排水口（１６）に挿入可能な栓本体（１）内の円筒状の移動空間部（２）に配置された表面にネジを有する回転ネジ部材（９）の上連結部（３）に直結するハンドル（５）を時計回り（右回り）に操作することにより生ずる回転は、上連結部（３）と回転ネジ部材（９）に伝達され、回転ネジ部材（９）のネジに螺合する内ネジ（１２）を有する可動体（１０）が伝達を受動する。受動した可動体（１０）は、移動空間部（２）内の回転を抑止し上下動に変換するために栓本体内部の円筒形の内壁に設けた、回転抑止手段のガイド溝（１１）に沿い下動する。可動体（１０）の下動に従い、可動体（１０）から下連結部（６）を介して設けた押し上げ板（８）は、栓本体（１）の下開口部（７）より下連結部（６）と共に下動する。押し上げ板（８）は排水口（１６）に取り付けてある内枠（１７）に接触し、栓接地固定状態の栓本体（１）を持ち上げる反作用が働き、取り外し状態に押し上げるように作動し、浮上を助勢し保持する。本発明を使用しないときは、ハンドル（５）を反時計回り（左回り）に操作することによる回転ネジ部材（９）の回転を可動体（１０）が受動し、可動体（１０）と連結する下連結部（６）、及び押し上げ板（８）が共に回転抑止手段のガイド溝（１１）に沿い上動し、栓本体（１）内の移動空間部に収納する。
栓本体、上連結部、ハンドル、下連結部、押し上げ板、回転ネジ部材、可動体、内ネジ、回転抑止手段のガイド溝、回転抑止手段のガイド突起、ド−ナッツ型上蓋は弾性体合成ゴム、硬軟質合成樹脂、鋼鉄、真鍮、ステンレスの材質を用いるのが最も望ましい。
【実施例２】        図１１において本発明の構成を説明すれば、本発明は栓本体、操作体の二要素から構成されている。
栓本体（１）は、任意の排水口（１６）の口形状に合わせ塞ぐ外形構造となったものである。栓本体内部に円筒状の移動空間部（２）が設けられており、円筒状の内壁には内ネジ（１２）が設けられ、栓本体（１）の上面には移動空間部（２）につながる上開口部（４）が設けられている。栓本体（１）と一体構造の内ネジ（１２）は、操作体の回転ネジ部材（９）のネジに螺合し、回転ネジ部材（９）の回転を伝達されるものであり、内ネジ（１２）の回転に伴い、内ネジ（１２）と一体構造の栓本体（１）は移動空間部（２）を上下動するものである。
操作体は、栓本体上部に配置された鎹状ハンドル（１３）と、鎹状ハンドル（１３）から上連結部（３）を介して前記移動空間部に配置された表面にネジを有する回転ネジ部材（９）とより構成されたものである。鎹状ハンドル（１３）は、上連結部（３）を介して回転ネジ部材（９）を操作するものであり、上連結部（３）は、回転ネジ部材（９）と連結して栓本体（１）の上部に位置し鎹状ハンドル（１３）の操作を円滑に回転ネジ部材（９）に伝達するものであり、回転ネジ部材（９）は、鎹状ハンドル操作により上連結部（３）を介して伝達された回転をなすものである。
本発明は以上のような構造で、これを使用するときは、例えば図１２において、任意の排水口（１６）に挿入可能な栓本体（１）内の、円筒状の移動空間部（２）に配置された表面にネジを有する回転ネジ部材（９）の上連結部（３）に直結する鎹状ハンドル（１３）を時計回り（右まわり）に操作することにより生ずる回転は、上連結部（３）と回転ネジ部材（９）に伝達され、回転ネジ部材（９）のネジに螺合する、栓本体（１）と一体構造の内ネジ（１２）に伝達され受動する。鎹状ハンドル（１３）の両端部（１５）は、排水口（１６）の外周縁部（１９）を接地支点とし、上連結部（３）と回転ネジ部材（９）の回転と下動を保持する。内ネジ（１２）と一体構造の栓本体（１）は栓接地固定状態にあり、回転ネジ部材（９）よりの回転に作動する内ネジ（１２）により、内ネジ（１２）と一体構造の栓本体（１）は上動する。排水口（１６）の外周縁部（１９）を接地支点とする鎹状ハンドル（１３）の両端部（１５）の梃子作用により、排水口（１６）に栓接地固定状態の、内ネジ（１２）と一体構造の栓本体（１）を持ち上げる作用が働き、取り外し状態に引き上げるように作動し、浮上を助勢し保持する。
本発明を使用しないときは、内ネジ（１２）と一体構造の栓本体（１）を保持し、鎹状ハンドル（１３）を反時計回り（左回り）に操作することにより、上連結部（３）を介して回転ネジ部材（９）を上動させ、栓本体（１）内の移動空間部に収納する。
栓本体、上連結部、鎹状ハンドル、回転ネジ部材、内ネジ、ド−ナッツ型上蓋は弾性体合成ゴム、硬軟質合成樹脂、鋼鉄、真鍮、ステンレスの材質を用いるのが最も望ましい。
【図面の簡単な説明】
【０００７】
【図１】    本発明の正面図
【図２】    本発明の実施例の正面図
【図３】    本発明の実施例の正面図
【図４】    本発明の実施例の右側面図
【図５】    本発明の実施例の平面図
【図６】    本発明の他の実施例の正面図
【図７】    本発明の他の実施例の正面図
【図８】    本発明の他の実施例の正面図
【図９】    本発明の他の実施例の右側面図
【図１０】    本発明の他の実施例の平面図
【図１１】    本発明の他の実施例の正面図
【図１２】    本発明の他の実施例の正面図
【図１３】    本発明の他の実施例の右側面図
【図１４】    本発明の他の実施例の平面図
【符号の説明】
【０００８】  １    栓本体
２    移動空間部
３    上連結部
４    上開口部
５    ハンドル
６    下連結部
７    下開口部
８    押し上げ板
９    回転ネジ部材
１０    可動体
１１    回転抑止手段のガイド溝
１２    内ネジ
１３    鎹状ハンドル
１４    回転抑止手段のガイド突起
１５    両端部
１６    排水口
１７    内枠
１８    内周縁部
１９    外周縁部
２０    ド−ナッツ型上蓋
【図１】
2006226092.tif 000003
【図２】
2006226092.tif 000004
【図３】
2006226092.tif 000005
【図４】
2006226092.tif 000006
【図５】
2006226092.tif 000007
【図６】
2006226092.tif 000008
【図７】
2006226092.tif 000009
【図８】
2006226092.tif 000010
【図９】
2006226092.tif 000011
【図１０】
2006226092.tif 000012
【図１１】
2006226092.tif 000013
【図１２】
2006226092.tif 000014
【図１３】
2006226092.tif 000015
【図１４】
2006226092.tif 000016